(57)【要約】 【課題】  空気清浄機本体側の形状を変えることなく、複数（２以上）の厚みの異なるメインフィルタを装着できると共に、メインフィルタとプレフィルタを同時に取り出してまとめて水洗いすることのできる空気清浄機を提供する【解決手段】  本体ケース１内に配置されるフィルタ装置１４は、メインフィルタ１５と、プレフィルタ１６と、メインフィルタとプレフィルタを収納するフィルタ枠体２１とから構成され、プレフィルタ１６の周縁には、フィルタ枠体２１に係合する突片１６ａを形成し、フィルタ枠体２１には、突片１６ａと係合する係合穴２２を、風の流れる方向において異なる位置に複数列形成する。突片１６ａと係合する係合穴２２を選択することにより、厚みが異なる複数のメインフィルタ１５を、共通のフィルタ枠体２１内にプレフィルタ１６によって外れ落ちないように保持する。【選択図】    図２
2010125391.tif 000002
【特許請求の範囲】
【請求項１】
吸気口と吹出口を有する本体ケースと、本体ケース内に設けられ前記吸気口と吹出口とを連通する空気流路と、空気流路に配置されたフィルタ装置と、吸気口から本体ケース内に吸気した空気をフィルタ装置を介して吹出口から放出する送風手段とを具え、
フィルタ装置は、細かな塵埃を捕獲するメインフィルタと、比較的大きな塵埃を捕獲するプレフィルタと、メインフィルタとプレフィルタを収納するフィルタ枠体とから構成され、
フィルタ枠体内において風下側にメインフィルタを収納すると共に、フィルタ枠体内においてメインフィルタの風上側にプレフィルタを収納し、プレフィルタの周縁には、フィルタ枠体に係合する係合部を形成し、フィルタ枠体には、プレフィルタの前記係合部と係合する被係合部を、風の流れる方向における異なる位置に複数形成し、        
プレフィルタの係合部と係合するフィルタ枠体の被係合部を選択することにより、風の流れる方向の厚みが異なる複数のメインフィルタを、プレフィルタによってフィルタ枠体から外れ落ちないように保持するようにした空気清浄機。
【請求項２】
プレフィルタの係合部は突片であり、フィルタ枠体の被係合部は、突片が入る係合穴である請求項１に記載の空気清浄機。
【請求項３】
前記メインフィルタは、集塵フィルタと脱臭フィルタを含む請求項１又は請求項２に記載の空気清浄機。
【発明の詳細な説明】
【技術分野】
【０００１】
本発明は、吸気口から本体ケース内に吸気した空気をフィルタ装置を通して浄化した後、吹出口から放出する空気清浄機に関する。
【背景技術】
【０００２】
空気を浄化するフィルタ装置としては、一般的に、細かな塵埃を捕獲するメインフィルタと、比較的大きな塵埃を捕獲するプレフィルタとからなる。メインフィルタの厚み（風の流れる方向の幅）を異ならせることにより、空気清浄機の性能を異ならせることができる。異なる性能の空気清浄機を得るために、メインフィルタの厚みを異ならせると、メインフィルタを収納する空気清浄機本体側の形状を変えなければならず、性能の異なる機種ごとに異なる金型が必要となり、製造コストの高騰を招く。
【０００３】
そこで、厚みの異なるメインフィタでも、空気清浄機本体側の形状を変えることなく、配備できる空気清浄機が例えば特許文献１で知られている。
【特許文献１】特開２００３−１０２８１６号公報
【発明の開示】
【発明が解決しようとする課題】
【０００４】
特許文献１のものでは、厚みの異なる２種類のメインフィルタ（集塵フィルタと脱臭フィルタからなる）を装着できるようになっている。近年、プレフィルタはもとよりメインフィルタも水洗いできるものが登場しているが、特許文献１に記載の構造では、水洗いしようとすると、メインフィルタとプレフィルタとを別個に取り出して洗わなければならない。また、特許文献１の構造では、２種類の異なる厚みのメインフィルタしか装着することができない。
【０００５】
本発明の目的は、空気清浄機本体側の形状を変えることなく、複数（２以上）の厚みの異なるメインフィルタを装着できると共に、メインフィルタとプレフィルタを同時に取り出してまとめて水洗いすることのできる空気清浄機を提供することである。
【課題を解決するための手段】
【０００６】
上記課題を解決するために本発明の空気清浄機は、
吸気口と吹出口を有する本体ケースと、本体ケース内に設けられ前記吸気口と吹出口とを連通する空気流路と、空気流路に配置されたフィルタ装置と、吸気口から本体ケース内に吸気した空気をフィルタ装置を介して吹出口から放出する送風手段とを具え、
フィルタ装置は、細かな塵埃を捕獲するメインフィルタと、比較大きな塵埃を捕獲するプレフィルタと、メインフィルタとプレフィルタを収納するフィルタ枠体とから構成され、
フィルタ枠体内において風下側にメインフィルタを収納すると共に、フィルタ枠体内においてメインフィルタの風上側にプレフィルタを収納し、プレフィルタの周縁には、フィルタ枠体に係合する係合部を形成し、フィルタ枠体には、プレフィルタの前記係合部と係合する被係合部を、風の流れる方向における異なる位置に複数形成し、        
プレフィルタの係合部と係合するフィルタ枠体の被係合部を選択することにより、風の流れる方向の厚みが異なる複数のメインフィルタを、プレフィルタによってフィルタ枠体から外れ落ちないように保持するものである。
【発明の効果】
【０００７】
本発明の空気清浄機によれば、厚みの異なるメインフィルタを共通のフィルタ枠体の中に、プレフィルタにより、外れ落ちないように収納することができる。そしてプレフィルタとフィルタ枠体の、風の流れる方向における係合位置を変えることにより、２種類以上の厚みの異なるメインフィルタを、空気清浄機本体側の形状を変えることなく、空気清浄機本体内に配備することが可能になり、性能の異なる空気清浄機を安価に提供できる。
【０００８】
また、メインフィルタとプレフィルタはフィルタ枠体内に保持され、フィルタ枠体と一体化しているので、メインフィルタとプレフィルタを同時に取り出して、まとめて水洗いすることができる。
【発明を実施するための最良の形態】
【０００９】
本発明の空気清浄機の一実施例を図１乃至図６に基づき説明する。尚、以降、前カバー４側を正面とし、後ケース３側を背面とする。
【００１０】
１は合成樹脂にて形成された空気清浄機の本体ケースで、前面側を開口し、背面に把手３ａが形成された後ケース３と、この後ケース３に着脱自在に装着される前カバー４と、前カバー４の上方側に位置する上ケース５とから構成されている。
【００１１】
前カバー４には多数の孔よりなる吸気口６が形成されており、この吸気口６から本体ケース１内に空気が取り込まれる。また、前カバー４の下部には、後ケース３の前面側下部に形成された係止孔７に挿入される係止部８が形成され、前カバー４の上部左右両側には後述する仕切板１１に着脱自在に係止される係止爪（図示せず）が形成されている。前カバー４はその下部の係止部８を係止孔７に挿入して、上部左右両側の係止爪を仕切板１１に係合することで、取り付けられる。
【００１２】
後ケース３の上面には格子状の吹出口２が形成され、背面側に渦巻き状のファンケーシング１０が一体に形成されており、このファンケーシング１０内は吹出口２を介して本体ケース１外と連通されている。
【００１３】
１１は本体ケース１内を前後に区画する仕切板で、仕切板１１の後ケース３側には、送風手段である送風機１８が配設されている。送風機１８は、仕切板１１に取り付けられたモータ１９と、このモータ１９により駆動されるファン２０とで構成される。仕切板１１のモータ１９の周囲には、前後の空間を連通する多数の穴１１ａが形成されている。送風機１８を駆動すると、本体ケース１外の空気を吸気口６より吸引し、前記穴１１ａ、ファンケーシング１０内を介して吹出口２より放出する空気流路１３（図１において矢印Ａで示す）が形成される。
【００１４】
仕切板１１の前カバー４側には前カバー４側を開口１２ａする凹状の収納部１２が形成されており、この収納部１２には、吸気口６から吸い込まれた空気中の粉塵を捕獲するフィルタ装置１４が配設されている。即ち、フィルタ装置１４は前記空気流路１３中に配置される。
【００１５】
フィルタ装置１４は、細かな塵埃を捕獲するメインフィルタ１５と、比較的大きい塵埃を捕獲するプレフィルタ１６と、メインフィルタ１５とプレフィルタ１６を収納するフィルタ枠体２１から構成される。
【００１６】
フィルタ枠体２１は、図３の如く矩形状をしており、前記仕切板１１に形成した収納部１２に嵌めこまれる。フィルタ枠体２１の四方の周壁には、後述するプレフィルタ１６の係合部１６ａと係合する被係合部２２が形成される。被係合部２２は、風の通過する向きにおいて異なる３つの位置に設けられた係合穴２２ａ、２２ｂ、２２ｃである。即ち、被係合部２２は、３列の係合穴２２ａ、２２ｂ、２２ｃからなり、風上側から風下側に向かって係合穴２２ａ、２２ｂ、２２ｃの順に並んでいる。
【００１７】
メインフィルタ１５は、不織布を襞折り状に加工して構成され、微細な塵埃を捕獲する集塵フィルタ１７と、活性炭粒子等よりなる脱臭フィルタ２５とよりなり、風上側に集塵フィルタ１７、風下側に脱臭フィルタ２５が配置される。
【００１８】
プレフィルタ１６は、合成樹脂製の枠体１６ｂと、枠体と一体に形成された網１６ｃとからなる。枠体１６ｂの周囲には、図３の如き合計６個の突片からなる係合部１６ａが一体に形成されている。この係合部１６ａは前記被係合部２２である係合穴２２ａ、２２ｂ、２２ｃに選択的に嵌めこまれ、プレフィルタ１６をフィルタ枠体２１に取り付けると同時に、メインフィルタ１５がフィルタ枠体２１から外れることのないように、プレフィルタ１６でもって、メインフィルタ１５の風上側よりメインフィルタ２１を押さえている。
【００１９】
このフィルタ枠体２１には、厚み（風の流れる方向における幅）が異なる３種類のメインフィルタ１５を収納できるようになっている。このことを図４乃至図６に基いて詳述する。なお、図４乃至図６では、集塵フィルタ１７と脱臭フィルタ２５をまとめてメインフィルタ１５として表示している。
【００２０】
最も厚みの太いメインフィルタ１５ａを収納する場合、図４のように、メインフィルタ１５ａをフィルタ枠体２１内に収納した後、プレフィルタ１６をメインフィルタ１５ａの風上側からフィルタ枠体２１内に収納し、プレフィルタ１６の突片１６ａを、フィルタ枠体２１周壁の最も風上側に形成した係合穴２２ａに嵌め込むことにより、プレフィルタ１６がフィルタ枠体２１より外れないようにする。同時に、メインフィルタ１５ａをフィルタ枠体２１より外れないように、プレフィルタ１６で押さえ込む。
【００２１】
最も厚みの薄いメインフィルタ１５ｃを収納する場合、図６のように、メインフィルタ１５ｃをフィルタ枠体２１内に収納した後、プレフィルタ１６をメインフィルタ１５ｃの風上側からフィルタ枠体２１内に収納し、プレフィルタ１６の突片１６ａを、フィルタ枠体２１周壁の最も風下側に形成した係合穴２２ｃに嵌め込むことにより、プレフィルタ１６がフィルタ枠体２１より外れないようにする。同時に、メインフィルタ１５ｃをフィルタ枠体２１より外れないように、プレフィルタ２１で押さえ込む。    
【００２２】
厚みが中間のメインフィルタ１５ｂを収納する場合、図５のように、メインフィルタ１５ｂをフィルタ枠体２１内に収納した後、プレフィルタ１６をメインフィルタ１５ｂの風上側からフィルタ枠体２１内に収納し、プレフィルタ１６の突片１６ａを、フィルタ枠体２１周壁の風の流れる方向における中間に形成した穴２２ｂに嵌め込むことにより、プレフィルタ１６がフィルタ枠体２１より外れないようにする。同時に、メインフィルタ１５ｂをフィルタ枠体２１より外れないように、プレフィルタ１６で押さえ込む。  
【００２３】
このように、メインフィルタ１５（１５ａ、１５ｂ、１５ｃ）の厚みに応じて、プレフィルタ１６の突片１６ａが嵌り込むフィルタ枠体２１の係合穴２２ａ、２２ｂ、２２ｃを選択することにより、異なる厚みのメインフィルタ１５を共通のフィルタ枠体２１内に収納することができる。
【００２４】
従って、２種類以上の厚みの異なるメインフィルタ１５を、空気清浄機本体側の形状を変えることなく、空気清浄機本体内に配備することが可能になり、異なる性能の空気清浄機を低コストで対応できる。
【００２５】
また、メインフィルタ１５とプレフィルタ１６とは、フィルタ枠体２１内に一体化されて収納されているので、メインフィルタ１５とプレフィルタ１６とをフィルタ枠体２１と共に同時に本体ケース１より取り出して、これら３者をまとめて、水洗いすることが可能になり、メンテナンスに有利となる。
【００２６】
以上の実施例では、プレフィルタ１６をフィルタ枠体２１に取り付けるのに、係合部としてプレフィルタ１６に突片１６ａを、フィルタ枠体２１に被係合部としての係合穴２２ａ、２２ｂ、２２ｃを設けたが、プレフィルタ１６に係合部としての切り欠きを、フィルタ枠体２１に被係合部としての突部を設けてもよい。
【図面の簡単な説明】
【００２７】
【図１】本発明空気清浄機の全体の縦断面図を示す。
【図２】同空気清浄機のフィルタ装置の分解斜視図を示す。
【図３】同空気清浄機のフィルタ装置のフィルタ枠体とプレフィルタを示す斜視図である。
【図４】同空気清浄機のフィルタ装置の断面図と要部拡大図である。
【図５】同空気清浄機のフィルタ装置の断面図と要部拡大図である。
【図６】同空気清浄機のフィルタ装置の断面図と要部拡大図である。
【符号の説明】
【００２８】
６      吸気口
２      吹出口
１      本体ケース
１３    空気流路
１４    フィルタ装置
１８    送風機（送風手段）
１５    メインフィルタ
１６    プレフィルタ
２１    フィルタ枠体
１６ａ  突片（係合部）
２２    係合穴（被係合部）
【図１】
2010125391.tif 000003
【図２】
2010125391.tif 000004
【図３】
2010125391.tif 000005
【図４】
2010125391.tif 000006
【図５】
2010125391.tif 000007
【図６】
2010125391.tif 000008